(57)【特許請求の範囲】
【請求項１】
記録の対象となる画像情報をファイル形式で当該装置に着脱自在な記録媒体に画像ファイルとして記録するに際して、その画像情報に対応するファイル名を自動的に生成する画像記録再生装置であって、
上記ファイル名の一部を当該装置により設定された固定の文字で形成し、他部を当該装置によって記録される各画像ファイル毎に自動的に設定される番号で形成するファイル名を生成するファイル名生成手段と、
上記画像ファイルに付されるファイル名の上記番号に対して通しの連番を付すためにそれまでに画像ファイルの記録を行う度にインクリメントされて付された番号に関する情報を記憶する番号情報記憶手段と、
を備え、
第１の記録媒体を取り外した後に、続いて第２の記録媒体を装着して画像ファイルを記録する際には、当該第２の記録媒体に記録される画像ファイルに付されるファイル名の番号を、前記記憶手段に記憶された番号情報に基づいてさらにインクリメントを行って設定してファイル名を生成して第２の記録媒体に記録する画像ファイルに付し、複数の異なる記録媒体同志において新規に記録された画像ファイル同志で互いに重複しない連番が各画像ファイル名の番号として付される
ことを特徴とする画像記録再生装置。
【請求項２】
前記記録媒体が新規に装着された場合には、当該装着された記録媒体内にすでに記録されている画像ファイルのファイル名に対して、装置内の番号記憶手段に記憶した番号と重複した番号が存在するか否かを確認する確認手段をさらに有すると共に、重複が確認された場合にはファイル名の番号を重複しない値までインクリメントしてファイル名の番号として付すことを特徴とする請求項１に記載の画像記録再生装置。
【発明の詳細な説明】
【０００１】
【産業上の利用分野】
本発明は、画像記録再生装置、詳しくは、記録の対象となる情報をファイル形式で当該適用された記録媒体に記録するに際して、その情報に対応するファイル名を生成する画像記録再生装置に関するものである。
【０００２】
【従来の技術】
従来の記録媒体としてフロッピーディスク，メモリカード等を用いる画像記録再生装置は、小型で可搬性が良く簡単に扱えるという特徴を有するが、記録可能なデータ量に限りがあるために、一定量の画像データを記録すると新たな記録媒体に交換する必要があった。また、これらの画像データを識別可能とするために、各画像データ毎にファイル名が付与されていた。
【０００３】
【発明が解決しようとする課題】
しかしながら、上述の画像記録再生装置によって記録された画像データを他の画像ファイル装置等に移して保存しようとする場合に、保存先の画像ファイル装置においてファイル名が重複するおそれがあった。このように画像記録再生装置で記録された画像データと画像ファイル装置に既に記録されている画像データのファイル名に重複があると、他の画像ファイル装置に既に記録されている同一ファイル名の画像データが消去されてしまうなどの不具合が生じる。このような不具合を避けるためにはファイル名が重複しないようにしなければならず、その都度記録媒体に記録された画像データのファイル名と既に記録されている画像データのファイル名を照合し、重複している場合にはいずれかのファイル名を書き換える（リネーム）必要があり、手間がかかる。また、複数の記録媒体にわたって画像ファイルの管理を効率的に行うこともできない。
【０００４】
本発明は、複数の記録媒体にわたって撮影される画像ファイルの管理を容易に行うことができる画像記録再生装置を提供することを目的とする。
【０００５】
【課題を解決するための手段】
本発明による第１の画像記録再生装置は、記録の対象となる画像情報をファイル形式で当該装置に着脱自在な記録媒体に画像ファイルとして記録するに際して、その画像情報に対応するファイル名を自動的に生成する画像記録再生装置であって、上記ファイル名の一部を当該装置により設定された固定の文字で形成し、他部を当該装置によって記録される各画像ファイル毎に自動的に設定される番号で形成するファイル名を生成するファイル名生成手段と、上記画像ファイルに付されるファイル名の上記番号に対して通しの連番を付すためにそれまでに画像ファイルの記録を行う度にインクリメントされて付された番号に関する情報を記憶する番号情報記憶手段と、を備え、第１の記録媒体を取り外した後に、続いて第２の記録媒体を装着して画像ファイルを記録する際には、当該第２の記録媒体に記録される画像ファイルに付されるファイル名の番号を、前記記憶手段に記憶された番号情報に基づいてさらにインクリメントを行って設定してファイル名を生成して第２の記録媒体に記録する画像ファイルに付し、複数の異なる記録媒体同志において新規に記録された画像ファイル同志で互いに重複しない連番が各画像ファイル名の番号として付される。
本発明による第２の画像記録再生装置は、上記第１の画像記録再生装置において、前記記録媒体が新規に装着された場合には、当該装着された記録媒体内にすでに記録されている画像ファイルのファイル名に対して、装置内の番号記憶手段に記憶した番号と重複した番号が存在するか否かを確認する確認手段をさらに有すると共に、重複が確認された場合にはファイル名の番号を重複しない値までインクリメントしてファイル名の番号として付すことを特徴とする。
【０００６】
【実施例】
以下、本発明の実施例を図に基づいて説明する。
図１は、本発明の一実施例の情報取り扱い装置である画像記録再生装置のリモコン送信器，フットスイッチ等を接続した状態でのブロック構成図である。
なお、該記録再生装置１に適用可能な画像情報の記録媒体は、図１に示すように、メモリカードとフロッピーディスク（以下、ＦＤと記載する）であって、本装置には後述するようにメモリカード、および、ＦＤのための複数の記録媒体装着部となるメモリカードＩ／Ｆ，同スロット、および、ＦＤＤ（フロッピーディスクドライブ）を内蔵している。
【０００７】
本実施例の画像記録再生装置１は、取り込まれるビデオ信号をビデオＲＡＭであるＶＲＡＭ１３ｃに書き込むためにＡ／Ｄ変換するＡ／Ｄ変換回路１１と、ＶＲＡＭ１３ｃの画像出力をＤ／Ａ変換し、モニタ等にビデオ信号を出力するＤ／Ａ変換回路１２と、上記ＶＲＡＭ１３ｃを内蔵する画像データ記憶部１３と、データ・アドレスバス２２，２３と、ビデオバス２４と、上記メモリカードとＦＤのための複数の記録再生部の動作状態をコントロールする等の制御を行う記録再生制御部１４と、リモコン送信器２からの送信赤外光を受光し、ＣＰＵ１４ａに該送信信号を出力するリモコン受光部１５と、装置本体のフロントパネル１ａ（図２参照）上にその操作釦が配設される操作スイッチ群１６と、本記録再生装置１の作動状態を表示するＬＥＤ群であって、上記パネル１ａ上に配設される表示部１７と、モデム４と接続されるシリアルインターフェース回路であるＲＳ２３２ＣＩ／Ｆ１８と、メモリカード３の装着部であるスロット１８ａ、および、メモリカードインターフェースリカードＩ／Ｆ１９と、フロッピーディスク５の装着部２１ａを有するＦＤＤ２１と、ＤＣ９Ｖ系，ＤＣ５Ｖ系の電源部を構成する電池２５および電圧レギュレータ２６とにより構成されている。
【０００８】
なお、上記データ・アドレスバス２２，２３は、メモリカードＩ／Ｆ１９等と制御部１４、および、制御部１４と画像データ記憶部１３のＲＡＭ−Ａ１３ａとＤ／Ａ，Ａ／Ｄ回路１２，１１の間の信号伝達用バスである。
また、ビデオバス２４は、画像データ記憶部１３のＶＲＡＭ１３ｃとＤ／Ａ変換回路１２またはＡ／Ｄ変化回路１１の間のビデオ信号伝達用バスである。
【０００９】
上記記録再生制御部１４は、本装置の各制御要素のコントロールを行うものであって、上記リモコン受光部１５からの信号や操作スイッチ群１６の上記出力信号が入力される。また、インターバル記録手段や、記録媒体の装着部の作動選択制御手段等を内蔵するＣＰＵ１４ａと、ビデオ信号に重畳するキャラクタデータを出力するＣＧ回路１４ｂと、一時的なデータの記憶を行うＲＡＭ−Ｂ１４ｃと、各種制御処理のアルゴリズムを記憶するＲＯＭ１４ｄと、電源オフ時にインターバル記録の記録時間間隔や、電源オフの際に、メモリカード３側かＦＤ５側の装着部のそれまで作動履歴等の各種情報を記憶しているＥＥＰＲＯＭ１４ｅと、ＦＤＤ２１をコントロールするフロッピーディスクドライブコントローラ１４ｆ（以下、ＦＤＣと記載する）で構成されている。
【００１０】
また、上記処理データ記憶部１３は、データ・アドレスバス２３、または、後述するコーダ回路１３ｂを介して画像データが一時的に取り込まれるＲＡＭ−Ａ１３ａと、画像データの圧縮、または、伸張を行う上記コーダ回路１３ｂと、ビデオバス２４、または、コーダ回路１３ｂを介してビデオ信号が取り込まれるＶＲＡＭ１３ｃとで構成される。
【００１１】
更に、本画像記録再生装置には、上記リモコン送信器２，モデム４が接続される他に、使用者の足操作によって記録，再生等の操作を行うＦＯＯＴ  ＳＷ６が接続可能である。
【００１２】
図２は、上記画像記録再生装置１の前面パネル１ａ上の操作スイッチ群１６のスイッチ釦，ＬＥＤ表示部１７，メモリカード３、および、ＦＤ５のイジェクト釦付き挿入口１ｂ，１ｃ等の配設状態を示す図である。
【００１３】
上記記録媒体の挿入口１ｂ，１ｃの他に、パネル１ａに配設されている釦、および、表示部としては、パワースイッチ釦であるＰＯＷＥＲ  ＳＷ１６ｚの釦と、キャラクタ表示用スイッチ釦であるＤＩＳＰ  ＳＷ１６ｗの釦と、例えば、画像データの圧縮，非圧縮条件等を設定するためのスイッチ釦であるＳＥＴ  ＳＷ１６ｘの釦と、再生，記録駒ＮＯ．等を表示するＬＥＤ表示部１７ｅと、記録媒体を選択するためのスイッチ釦であるＣＡＲＤ／ＦＤ  ＳＷ１６ｒの釦と、該選択された媒体を表示するＬＥＤ１７ｆと、汎用の矢印選択スイッチ釦であって、上方向指定用のＵＰ  ＳＷ１６ｓの釦、下方向指定用のＤＯＷＮ  ＳＷ１６ｕの釦、右方向指定用のＲＩＧＨＴ  ＳＷ１６ｖの釦、左方向指定用のＬＥＦＴ  ＳＷ１６ｔの釦とが配設されている。
【００１４】
更に、画像データのコピー処理における転送元と転送先の記録媒体を表示する転送方向表示用ＬＥＤ１７ｇと、画像データ圧縮，非圧縮処理の状態を示すＬＥＤ表示部であって、それぞれの条件での圧縮を行うときの固定（１）表示１７ａ，固定（２）表示１７ｂ、可変長圧縮を行うときの可変表示１７ｃ、圧縮を行わないときの非圧縮表示１７ｄと、１画面の画像データを記録媒体にコピーするためのスイッチ釦であるＣＯＰＹ  ＳＷ１６ａの釦と、ある記録媒体に記録されている全画像データの全てを別の記録媒体にコピーするためのスイッチ釦であるＡＬＬ  ＣＯＰＹ  ＳＷ１６ｂの釦と、記録媒体のフォーマットを行うためのスイッチ釦であるＦＯＲＭＡＴ  ＳＷ１６ｃの釦と、画像データの１画面を消去するためのスイッチ釦であるにＥＲＡＳＥ  ＳＷ１６ｄと、画像データの全てを消去するためのスイッチ釦であるにＡＬＬ  ＥＲＡＳＥ  ＳＷ１６ｅと、画像データの記録を行う記録モード指定のスイッチ釦であるＲＥＣ  ＳＷ１６ｆの釦が配設されている。
【００１５】
また、インターバル記録モードを設定するためのスイッチ釦であるＩＮＴ．ＲＥＣ  ＳＷ１６ｇの釦と、再生モード指定のためのスイッチ釦であるＰＬＡＹ  ＳＷ１６ｊの釦と、上記ＣＯＰＹ  ＳＷ１６ａ〜ＩＮＴ．ＲＥＣ  ＳＷ１６ｇ、および、ＰＬＡＹ  ＳＷ１６ｊ等のスイッチ釦を押圧してスタンバイ状態にした後、それぞれの動作を開始させるスイッチ釦であるＳＴＡＲＴ  ＳＷ１６ｈの釦と、また、上記動作を停止させるスイッチ釦であるＳＴＯＰ  ＳＷ１６ｉの釦とが配設されている。
【００１６】
更に、画像データの記録をフィールド記録するかフレーム記録をするかの指示を行うスイッチ釦であるＦＬＤ／ＦＲＭ  ＳＷ１６ｋの釦と、再生モードにおけるマルチ画面表示における２画面表示設定を行うＣＯＭＰ２  ＳＷ１６ｍの釦と、４画面表示設定を行うＣＯＭＰ４  ＳＷ１６ｎの釦と、１６分割表示用のＭＵＬＴＩ１６  ＳＷ１６ｐの釦と、更に、上記ＣＯＰＹ  ＳＷ１６ａ〜ＲＥＣ  ＳＷ１６ｆの各釦の操作状態を表示するためのＬＥＤ１７ｈ等が配設されている。また、ＦＯＯＴ  ＳＷ６を接続するためのコネクタ２９も配設されている。
【００１７】
以上のように構成された本実施例の画像記録再生装置１の記録再生部の選択動作，記録，再生，インターバル記録，コピー動作等について各フローチャートを用いて説明する。
図３は、本記録再生装置の制御動作のメインルーチンのフローチャートであり、この処理は、ＰＯＷＥＲ  ＳＷ釦１６ｚをオンした場合にスタートする。まず、ステップＳ１にて、サブルーチン「初期設定」が行われる。この処理は、メモリカード３、または、および、ＦＤ５のどちら側の記録媒体装着部を作動状態にするかの設定、即ち、メモリカードＩ／Ｆ１９、または、ＦＤＤ２１のどちらを作動状態にするかを設定する処理であり、その後、記録，再生のコマＮＯ．を１に設定する。
【００１８】
上記サブルーチン「初期設定」のフローチャートは、図１１に示すが、ステップＳ１４１，１４２，１４３において、ＦＤ５、または、メモリカード３の何れか一方のみが装着されているか、ＦＤ５とメモリカード３とが共に装着、または、未装着の状態であるか、ＦＤ５、または、メモリカード３の何れかが装着されているかを判別する。
【００１９】
ＦＤ５とメモリカード３が共に装着、または、未装着の状態であれば、ステップＳ１４４において、最後に電源をオフしたときにＦＤ５、または、メモリカード３のどちら側が作動状態にあったかをＥＥＰＲＯＭ１４ｅに記憶してあるので、その情報に基づいて、ＦＤ５、または、メモリカード３用のスロット１９ａとメモリカードＩ／Ｆ１９、または、ＦＤＤ２１の何れかを作動状態とする。
また、ＦＤ５のみが装着してあれば、ステップＳ１４５にてＦＤＤ２１を作動状態にし、メモリカード３のみが装着してあれば、ステップＳ１４６にてメモリカードＩ／Ｆ１９を作動状態にする。
【００２０】
以上のように記録媒体の記録再生部の作動状態を初期化することによって、記録媒体が抜き去られているときは、最後に電源オフしたときの状態を再現できるので、記録媒体装着部の選択操作をすることなく、同一の記録媒体を使った記録再生動作の実行に移ることができる。また、どちらかの記録媒体を挿入したままであったならば、この場合も、電源を再度オンしたとき選択操作をすることなく、すぐ挿入状態にある記録媒体装着部による記録再生等の作業に移ることができる。
【００２１】
なお、画像記録再生装置に記録媒体の装着部が３つ以上ある場合の初期設定処理についても、同様の処理を行う変形例を提案することができる。しかし、この場合、電源をオンとしたときに装着されている記録媒体が複数ある場合は、該複数の記録媒体が装着された順序の履歴情報により、最後に装着された記録媒体が装着されている装着部を指定して作動状態とする。あるいは、記録媒体がメモリカード等であって処理速度が速いものである場合、上記複数の記録媒体が装着されている複数の装着部を交互に作動状態にして、略同時に、複数の記録媒体に対する記録，再生を実行させるようにしてもよい。
【００２２】
続いて、図３のフローチャートの接続部「Ｂ４」〜「Ｂ１０」等を介して各スイッチ処理を実行するが、何れのスイッチも操作されていなかった場合、ステップＳ２，３において、ＲＩＧＨＴ  ＳＷ１６ｖ、または、ＬＥＦＴ  ＳＷ１６ｔの状態をチェックし、オン状態であればそれぞれコマＮＯ．をインクリメント、または、デクリメントする。そのコマＮＯ．を前面パネル１ａ上の表示部１７ｅに表示して、接続部「Ｂ４」に戻る。
【００２３】
上記接続部「Ｂ４」を介して、図４のフローチャートに示すステップＳ１１以下に進んだ場合、インターバル記録の条件設定が行われる。即ち、ステップＳ１１において、ＩＮＴ．ＲＥＣ  ＳＷ１６ｇのオンオフ状態をチェックし、オフの場合は、後述する図６の接続部「Ｂ５」に進むが、オンの場合はステップＳ１２に進む。
【００２４】
ステップＳ１２において、図２９に示すメニュー画面Ｇ１がその画面情報をＤ／Ａ変換回路１２を介してモニタに出力され、表示される。この画面は、インターバル記録に関する画面であることを示すＩＮＴ  ＲＥＣおよび記録コマ数（１〜２行目）と、インターバル記録における選択可能なインターバル記録時の記録時間間隔の現在値（４行目〜６行目）を各記録媒体、および、データ圧縮時（ＣＯＭＰＲＥＳＳ）と非圧縮時（ＮＯＴ  ＣＯＭＰＲＥＳＳ）に対して示す画面である。なお、上記記録コマ数は、例えば、リモコン等により設定可能とする。
【００２５】
選択可能なインターバル記録時の記録時間間隔は、各記録媒体の圧縮／非圧縮処理に対して、それぞれのアクセス時間に応じて指定ができ、例えば、表１に示す範囲を選択可能とする。この表１に示される時間間隔の下限は、各媒体のアクセス時間上、インターバル記録が可能な限度を示す値であって、この値より短い時間間隔は、ＣＰＵ１４ａに内蔵される規制手段により選択が許容されないものとする。
【００２６】
なお、表１に記録媒体であるＦＤに対して非圧縮処理時の設定定数が示されていないが、これは、実際にＦＤの非圧縮処理でのインターバル記録処理を行っても、１枚のＦＤの記憶容量が１，２画面分しかないため、装置自体で禁止しているためである。また、ＦＤについての（）中に示す符号は、ＦＤの記憶容量に関する性質を示し、メモリカードの（）中に示す値は、アクセス時間を示している。これらの区別は、媒体を装着時点で装置が自動的に判別するものとする。
【００２７】
【表１】
0003590101.tif 000002
【００２８】
また、実際に記録時間間隔として設定できる値は、上記表１の範囲内であって、予め記憶されているいくつかの実用的な値とする。例えば、アクセス時間２００ｎｓのカード３において、圧縮処理を行う場合、表２に示す３０種類の値が選択可能となる。なお、この値の選択は、後述する図５のフローチャートのステップＳ３６，３７にて行われる。なお、この選択時に上記の値を越えて選択したときは、ブザー、または、ＬＥＤ等により警告を発するように構成してもよい。
【００２９】
【表２】
0003590101.tif 000003
【００３０】
さて、上記図４のステップＳ１２のメニュー画面Ｇ１表示の後は、ステップＳ１３に進み、該画面Ｇ１の表示部Ｇ１Ａの４行目を赤色表示とする（ＦＤ（２ＨＤ）ＣＯＭＰＲＥＳＳ．）。更に、ステップＳ１４に進み、ＲＩＧＨＴ  ＳＷ１６ｖのオンオフをチェックする。オンの場合、ステップＳ１９に進み、赤色表示部の位置をチェックし、赤色表示部が４〜６行目内であれば、後述する接続部「Ｂ１」を介して図５のステップＳ３１に進み、赤色表示部が４〜６行目以外であれば、ステップＳ１５に進む。
【００３１】
ステップＳ１５では、ＤＯＷＮ  ＳＷ１６ｕのオンオフをチェックする。オフの場合、ステップＳ１６に進む。オンの場合、ステップＳ２０にジャンプして、赤色表示部を１行下方に移行する。そして、後述するステップＳ１７に進む。
ステップＳ１６では、ＵＰ  ＳＷ１６ｓのオンオフをチェックする。オフの場合、後述するステップＳ１７に進む。オンの場合、ステップＳ２１にジャンプして、赤色表示部を１行上方に移行する。そして、ステップＳ１７に進む。なお、上記ステップＳ２０，Ｓ２１における赤色表示部の移行範囲は、４〜６行目である。
ステップＳ１７においては、ＳＴＡＲＴ  ＳＷ１６ｊのオンオフをチェックする。そして、オフの場合、ステップＳ１４に戻る。オンの場合、ステップＳ１８に進み、メニュー画面Ｇ１の７行目が赤色表示であるかをチェックする。７行目が赤色表示でない場合はステップＳ１４に戻る。また、７行目が赤色表示であった場合、ステップＳ２２にジャンプし、記録時間間隔設定の処理解除と判断し、メニュー画面Ｇ１の表示をオフ状態にする。そして、ステップＳ１１に戻る。
【００３２】
上記ステップＳ１９のチェックで接続部「Ｂ１」に進むと、後述する図５のフローチャートに示すステップＳ３１以下の処理がなされる。即ち、ステップＳ３１にて画面Ｇ１の同一行の表示部Ｇ１Ｂを赤色表示とする。そして、ステップＳ３２，３３にて方向スイッチのＵＰ  ＳＷ１６ｓと、ＤＯＷＮ  ＳＷ１６ｕのオンオフ状態をチェックする。ＵＰ  ＳＷ１６ｓ、または、ＤＯＷＮ  ＳＷ１６ｕがオンのときは、赤色表示行の表示部Ｇ１Ｂに表示されている当該媒体の記録時間間隔の定数を前記表２上でプラス（増）方向、または、マイナス（減）方向に変更して、上記ステップＳ３２に戻る。更に、ステップＳ３４では、ＬＥＦＴ  ＳＷ１６ｔのオンオフをチェックし、オンの場合はステップＳ３８にジャンプし、表示部Ｇ１Ａを赤色表示とし、接続部「Ｂ２」を介して、前記図４に示したステップＳ１４に戻り、媒体の指定等の処理を行う。また、ＬＥＦＴ  ＳＷ１６ｔのオフの場合、ステップＳ３５に進む。
【００３３】
ステップＳ３５ではＳＴＡＲＴ  ＳＷ１６ｈのオンオフをチェックする。オフの場合は、ステップＳ３２に戻る。オンの場合、インターバル記録を行うために、ステップＳ３９にてメニュー画面Ｇ１の表示を終了し、ステップＳ４０にて既に設定されている記録時間間隔の値をＥＥＰＲＯＭ１４ｅに書き込む。従って、もし、ＰＯＷＥＲ  ＳＷ１６ｚが切られても、再度、同じ記録時間間隔が容易に設定可能である。
続いて、ステップＳ４１に進み、後述するサブルーチン「ＩＮＴ  ＲＥＣ動作」をコールし、設定された時間間隔でインターバル記録を実行する。その後、接続部「Ｂ３」を介して図４のステップＳ１１に戻る。
【００３４】
図１２は、上記サブルーチン「ＩＮＴ  ＲＥＣ動作」処理のフローチャートである。本処理において、まず、ステップＳ１５１にて、媒体の指定を行った後、ステップＳ１５２で、後述するサブルーチン「記録」がコールされ、１コマ目の画像データの記録が行われる。そして、ステップＳ１５３に進み、既に設定されているインターバル記録の時間間隔に基づいてタイマ定数の設定を行い、ステップＳ１５４でタイマの計時をスタートさせる。
【００３５】
ステップＳ１５５でＦＯＯＴ  ＳＷ６のオンをチェックし、ＦＯＯＴ  ＳＷ６がオフであった場合、ステップＳ１５６に進み、通常のインターバル撮影を行う。オンの場合は、ＦＯＯＴ  ＳＷ６によりコントロールされる後述する設定モード１，２，３のインターバル記録を行う。
【００３６】
上記ステップＳ１５６では、ＳＴＯＰ  ＳＷ１６ｉのオンオフ状態をチェックし、もし、オンになっていた場合、本ルーチンを終了するが、オフの場合、ステップＳ１５７に進む。そこで、残りコマ数上、記録の続行が可能かどうかを判別し、不可能の場合は本ルーチンを終了する。可能である場合、ステップＳ１５８に進む。そこで、上記インターバルのタイマの計時の終了をチェックし、計時が終了するまでステップＳ１５５に戻り、計時を終了した場合、ステップＳ１５１に戻り、次のコマの記録を行う。
【００３７】
また、ＦＯＯＴ  ＳＷ６がオンであった場合は、前述のようにステップＳ１５９にジャンプし、ＦＯＯＴ  ＳＷ６によりコントロールされるインターバル記録を実行する。
【００３８】
ここで、上記インターバル記録におけるモード１，モード２，モード３について説明すると、上記各モードの動作状態は、図３０のタイムチャートに示すように、モード１では、インターバル記録の実行中、ＦＯＯＴ  ＳＷ６を押圧したタイミングＰ４で記録し、それまで実行されていたインターバル記録が中断される。なお、図３中のＴ０は、インターバル記録のインターバル時間を示す。また、タイミングＰ１〜Ｐ２７は、インターバル記録動作中の記録タイミングを示す。
【００３９】
モード２では、インターバル記録の実行中、記録待ち時間のタイミングＰ１４でＦＯＯＴ  ＳＷ６が押圧されるとそのタイミングＰ１４で記録を行い、その後、インターバル記録をタイミングを変化させることなく続行する。
【００４０】
モード３では、インターバル記録の実行中、記録待ち時間のタイミングＰ２４でＦＯＯＴ  ＳＷ６が押圧されるとそのタイミングＰ２４で記録を行い、その後、上記タイミングＰ２４をインターバル記録の記録タイミングとしたインターバル記録を続行する。
【００４１】
なお、上記モードの指定は、図３６のモニタ画面Ｇ７上で指定可能であって、該画面Ｇ７の５行目に「ＩＮＴ  ＲＥＣ  ＭＯＤＥ」として表示される。
【００４２】
さて、上記ステップＳ１５９にジャンプした場合、まず、一回画像データの記録を行い、ステップＳ１６０，１６１にて設定モードのチェックを行う。そして、モード３の場合、ステップＳ１５３に戻り、前述のモード３のインターバル記録を続行する。また、モード２の場合、ステップＳ１５５に戻り、前記モード２のインターバル記録を続行する。また、モード１の場合、直接、本ルーチンを終了する。
【００４３】
以上のように本装置においては、対象とする記録媒体のアクセス速度を逸脱するような記録時間間隔のみを規制するようにして、媒体の特性を十分に生かした所望の時間間隔のインターバル記録を実行可能となる。また、ＦＯＯＴ  ＳＷ６の操作により、通常のインターバル記録中の特殊な記録が可能となる。
【００４４】
前述したように図４のステップＳ１１におけるＩＮＴ．ＲＥＣ  ＳＷ１６ｇのチェックでオフの場合は、接続部「Ｂ５」を介して、図６のフローチャート中のステップＳ６１に進む。そこで、ＣＯＰＹ  ＳＷ１６ａのオンオフ状態をチェックする。オフであった場合は接続部「Ｂ６」を介して図７のステップＳ８１に進むが、オンの場合は、ステップＳ６２に進み、複写処理を実行する。
【００４５】
まず、ステップＳ６２にて、前記図３のステップＳ３，５等で指定されたコピー元となる第１の媒体の指定コマを再生し、モニタに表示する。そして、ステップＳ６３にて、現在、ＣＡＲＤ３対応のＬＥＤ１７ｆが点灯しているかをチェックし、点灯しているときは、ステップＳ６４にて転送表示用ＬＥＤ１７ｇのうちＣＡＲＤからＦＤ転送のＬＥＤを点灯する。点灯していないときは、ステップＳ７１にて転送表示用ＬＥＤ１７ｇのうちＦＤからＣＡＲＤ転送のＬＥＤを点灯する。
【００４６】
そして、ステップＳ６５で転送先の媒体である第２の媒体の記録禁止処理の有無や残りコマ数等でコピーが可能かどうかをチェックする。不可能の場合、ステップＳ７０にジャンプし、転送表示用ＬＥＤ１７ｇのＣＡＲＤからＦＤ転送のＬＥＤ、または、ＦＤからＣＡＲＤ転送のＬＥＤを消灯する。そして、接続部「Ｂ６」を介して図７のステップＳ８１に進む。
【００４７】
また、複写が可能な場合、ステップＳ６６、６７に進み、ＲＩＧＨＴ  ＳＷ１６ｖ、または、ＬＥＦＴ  ＳＷ１６ｔのオンオフをチェックする。その何れかがオンの場合、転送元のコマＮＯ．をインクリメント（ステップＳ７２）、または、デクリメント（ステップＳ７３）して、ステップＳ６６に戻る。このとき、単一のＬＥＤ表示部１７ｅに転送元の第１の媒体のコマＮＯ．を表示する。また、上記コマＮＯ．の画像データはＤ／Ａ変換回路１２を介してモニタにて観察可能である。
【００４８】
続いて、ステップＳ６８でＳＴＡＲＴ  ＳＷ１６ｈのオンが検出された場合、ステップＳ７４に進み、転送元の第１の媒体のデータを転送先の第２の媒体に記録するため、後述するサブルーチン「記録」処理を行う。そして、前述のステップＳ７０に進む。また、ＳＴＡＲＴ  ＳＷ１６ｈがオフのときは、ステップＳ６９に進み、ＳＴＯＰ  ＳＷ１６ｉをチェックして、オフの場合は、前記ステップＳ６６に戻る。また、オンの場合、前記ステップＳ７０に進む。
【００４９】
以上のように本装置による複写動作において、複写先コマＮＯ．は後述する図１４の記録処理にて自動的に選択されることから、複写元の媒体のコマＮＯ．のみを単一の表示部１７ｅに表示すればよく、構成が簡素化される。そして、原画像情報の如何を問わず、この簡素化による使用者への支障はない。
【００５０】
前記図６のフローチャートの接続部「Ｂ６」を介して、図７に示すフローチャートのステップＳ８１にジャンプした場合、２画面表示処理指定用のＣＯＭＰ２ＳＷ１６ｍのオンオフをチェックする。オフの場合は、接続部「Ｂ７」を経由して図８のステップＳ１０１に進む。また、オンの場合は、マルチ画面表示のうち、図３１に示すような画面Ｇ２の２画面表示処理を行うステップＳ８２に進む。
【００５１】
上記ステップＳ８２においては、図３１の画面Ｇ２左右画面の表示幅ｘとｙとを等しい値に設定する。また、フラグ（ＦＬＡＧ）Ｒ０の値を１とする。また、両画面に画面コマＮＯ．を表示するが、右側のコマＮＯ．は赤色表示とする。
【００５２】
なお、上記フラグＲ０は、表示画面の１つの部分表示領域と他の部分表示領域である左側領域と右側領域とを選択指定する表示領域指定手段として用いる。なお、上記左側、または、右側表示領域は、図３１のｘ領域、または、ｙ領域が対応する。また、上記２画面とも画面表示倍率は等倍率とする。
【００５３】
次に、ステップＳ８２Ａにおいて、２画面表示処理のＣＯＭＰ２のフラグＲＥＳＥＴ１がオンであるかどうかのチェックをする。
このＣＯＭＰ２のフラグＲＥＳＥＴ１は、図３６のモニタ画面Ｇ７上の６行目で指定が可能であって、このフラグＲＥＳＥＴ１がオンの場合は、２画面表示処理のＣＯＭＰ２モードに入ったときに、表示画面のスクロール開始位置ｘ１，ｙ１を予め設定されている位置、即ち、後述するリセット位置Ｌ，Ｓ，Ｒにリセットする。また、該フラグがオフのときは、ＣＯＭＰ２モードに入ったとき、上記リセットを行わない。
【００５４】
上記ステップＳ８２ＡのチェックでＲＥＳＥＴ１がオンの場合は、ステップＳ８２Ｂ，８２Ｃで上記左側表示画面の水平方向始点座標の値ｘ１と右側表示断面の水平方向始点座標の値ｙ１がリセットされる。オフの場合、上記リセットは実行されず、ステップＳ８３に進む。
【００５５】
なお、前記水平方向始点座標の値ｘ１，ｙ１は、図３２に示すようにＶＲＡＭ１３ｃに内蔵されるｘ，ｙ領域用のＶＲＡＭ１，ＶＲＡＭ２の画像データ上の水平方向座標に対して、表示画面ｘ，ｙ領域でのスクロール始点を表している。また、表示画面ｘ，ｙ領域でのスクロール終点はｘｂ，ｙｂで示される。従って、その表示範囲は、それぞれｘ１〜ｘｂ、または、ｙ１〜ｙｂで示される。そして、上記水平方向始点の値ｘ１，ｙ１は、ＶＲＡＭ１，ＶＲＡＭ２における通常１画面表示の左端を示す最小値ｘ０，ｙ０から同１画面表示中点を示す最大値ｘ２，ｙ２の間を採る。
【００５６】
また、水平方向始点の値ｘ１，ｙ１が上記最大値ｘ２，ｙ２を採ったとき、スクロール終点のｘｂ，ｙｂは、ＶＲＡＭ１，ＶＲＡＭ２の通常１画面表示右端位置ｘａ，ｙａと一致する。なお、ＶＲＡＭ１，ＶＲＡＭ２の出力は、切り換えスイッチ素子１３ｃ１と１３ｃ２により切り換えられる。そして、Ｄ／Ａ変換回路１２に出力され、上記２画面の表示を行うことになる。
【００５７】
また、上記水平方向始点の値ｘ１，ｙ１のリセット値は、図３６のモニタ画面Ｇ７上の８，９行目でＬ，Ｓ，Ｒの３通りが指定可能である。このＬ，Ｓ，Ｒの位置は、図３４の画面Ｇ３’の左右画面Ｇ３ａ’，Ｇ３ｂ’に示すようにそれぞれ左側，中央，右側の画面表示に対応する。但し、その変形例としては、この３通りに限らず、何通りであってもよく、また、数値により指定するようにしてもよい。
【００５８】
上記ステップＳ８２Ｂでは、図１３のサブルーチン「ｘ１リセット」がコールされ、そのルーチンのステップＳ１６３，１６４において、上記値ｘ１の指定がＲ，Ｌ，Ｓの何れであるかの判別がなされる。Ｌの場合、ステップＳ１６５で値ｘ１にｘ０を与え、画面左のみ表示される。Ｓの場合、ステップＳ１６６で値ｘ１に（ｘ０＋ｘ２）／２を与え、画面中央のみ表示される。Ｒの場合、ステップＳ１６７で値ｘ１にｘ２を与え、画面右のみ表示される。
なお、上記値ｘ０とｘ２は、前述したように図３２の画像メモリ上のｘ画面用のＶＲＡＭ１上の画面左端位置と画面中央位置を示す値である。
【００５９】
上記ステップＳ８２Ｃでは、図１４のサブルーチン「ｙ１リセット」がコールされ、そのルーチンのステップＳ１７０，１７１において、上記値ｙ１の指定がＲ，Ｌ，Ｓの何れであるかの判別がなされる。Ｌの場合、ステップＳ１７２で値ｙ１にｙ０を与え、画面左のみ表示される。Ｓの場合、ステップＳ１７３で値ｙ１に（ｙ０＋ｙ２）／２を与え、画面中央のみ表示される。Ｒの場合、ステップＳ１６７で値ｙ１にｙ２を与え、画面右のみ表示される。
なお、上記値ｙ０とｙ２は、前述したように図３２の画像メモリ上のｙ画面用のＶＲＡＭ２上の画面左端位置と画面中央位置を示す値である。
【００６０】
そして、図７における前記ステップＳ８３にて、モニタに図３１に示すｘコマ目を左半分に、ｙコマ目を右半分に対応させた２画面Ｇ２を表示する。
続いて、ステップＳ８４でＣＯＭＰ２  ＳＷ１６ｍの状態をチェックし、オンの場合、ステップＳ９０にジャンプし、サブルーチン「ＣＯＭＰ２  ＳＷ処理」がコールされる。
【００６１】
上記サブルーチン「ＣＯＭＰ２  ＳＷ処理」は、２画面選択処理であって、図１５にそのフローチャートが示され、まず、ステップＳ１８１でフラグＲ０のチェックを行う。該Ｒ０の値が１であれば、ステップＳ１８２に進み、フラグＲ０を値０とする。そして、ステップＳ１８３で左側に表示するコマＮＯ．を赤色表示する。
【００６２】
また、フラグＲ０が値０であれば、ステップＳ１８４に進み、フラグＲ０を値１とし、そして、ステップＳ１８５では、図３３の表示画面に示すように右側に表示するコマＮＯ．を赤色表示し、本ルーチンを終了する。即ち、ＣＯＭＰ２  ＳＷ１６ｍを押す毎に右コマＮＯ．と左コマＮＯ．の表示を交互に赤色に設定することになり、左側領域か右側領域かの選択が可能となる。
【００６３】
上記図７のステップＳ８４の判別でＣＯＭＰ２  ＳＷ１６ｍがオフの場合は、ステップＳ８５以下に進む。該ステップＳ８５とステップＳ８６では、ＲＩＧＨＴ  ＳＷ１６ｖ，ＬＥＦＴ  ＳＷ１６ｔの状態をチェックする。ＲＩＧＨＴ  ＳＷ１６ｖがオンの場合、ステップＳ９１に進み、サブルーチン「ＲＩＧＨＴ  ＳＷ処理」がコールされる。また、ＬＥＦＴ  ＳＷ１６ｔがオンの場合、ステップＳ９２に進み、サブルーチン「ＬＥＦＴ  ＳＷ処理」がコールされる。
【００６４】
なお、上記サブルーチン「ＲＩＧＨＴ  ＳＷ処理」と「ＬＥＦＴ  ＳＷ処理」は、前記表示領域指定手段により指定された部分表示領域である図３１のｘ領域、または、ｙ領域に対応すべく生成される画像信号に対して、上記部分表示領域に映出される画像をスクロールするための処理を実行するための手段に基づいた処理である。
【００６５】
上記サブルーチン「ＲＩＧＨＴ  ＳＷ処理」は、表示画面を右方向に移動させる処理であって、図１６のフローチャートに示される。ステップＳ１８７で２画面表示のＣＯＭＰ２のモード１，２のチェックを行う。
このＣＯＭＰ２のモード１は、ｘ，ｙ表示領域の画面のうち片側のみをスクロールするモードであり、モード２は、ｘ，ｙ表示領域の両画面のスクロールをするモードである。該ＣＯＭＰ２のモード１，２の選択は、図３６のモニタ画面Ｇ７の１０行目で選択可能である。
【００６６】
上記ステップＳ１８７のチェックで、モード２であった場合、ステップＳ１９１，１９２に進み、前記値ｘ１，ｙ１をインクリメントする。その最大値はｘ２，ｙ２までとする。また、モード１の場合、ステップＳ１８８に進む。
上記ステップＳ１８８では、フラグＲ０をチェックする。そして、値１のときは、ステップＳ１８９に、また、値０のときは、ステップＳ１９０にジャンプする。上記ステップＳ１８９では、ｙ表示領域の水平方向始点座標の値ｙ１をインクリメントする。また、ステップＳ１９０では、ｘ表示領域の水平方向始点座標の値ｘ１をインクリメントする。上記インクリメント処理後、本ルーチンを終了する。
【００６７】
上記サブルーチン「ＬＥＦＴ  ＳＷ処理」は、表示画面を左方向に移動させる処理であって、図１７のフローチャートに示されるように、ステップＳ１９４でＣＯＭＰ２のモード１，２のチェックを行う。モード２の場合、ステップＳ１９８，１９９に進み、前記値ｘ１，ｙ１をデクリメントする。その最小値は、ｘ２，ｙ２までとする。
【００６８】
また、モード１の場合、ステップＳ１９５に進む。該ステップＳ１９５でフラグＲ０をチェックし、値１のときはステップＳ１９６に、また、値０のときはステップＳ１９７にジャンプする。上記ステップＳ１９６では、ｙ表示領域の水平方向始点座標の値ｙ１をデクリメントする。また、ステップＳ１９７では、ｘ表示領域の水平方向始点座標の値ｘ１をデクリメントする。上記デクリメント処理後、本ルーチンを終了する。
【００６９】
前記図７のフローチャートにおいて、ステップＳ８５，８６の処理に引き続いて、ステップＳ８７，８８の処理がなされる。
上記ステップＳ８７，８８では、ＵＰ  ＳＷ１６ｓ，ＤＯＷＮ  ＳＷ１６ｕの状態をチェックする。ＵＰ  ＳＷ１６ｓがオンの場合、ステップＳ９３に進み、サブルーチン「ＵＰ  ＳＷ処理」がコールされる。また、ＤＯＷＮ  ＳＷ１６ｕがオンの場合、ステップＳ９４に進み、サブルーチン「ＤＯＷＮ  ＳＷ処理」がコールされる。
【００７０】
上記サブルーチン「ＵＰ  ＳＷ処理」は、図１８のフローチャートに示されるように、ステップＳ２０１でフラグＲ０をチェックし、値１のときは、ステップＳ２０２に、また、値０のときはステップＳ２０３にジャンプする。上記ステップＳ２０２では、右側表示画面に表示されるコマＮＯ．をインクリメントする。また、ステップＳ２０３では、左側表示画面に表示されるコマＮＯ．をインクリメントする。更に、ステップＳ２０４，２０６でＣＯＭＰ２のフラグＲＥＳＥＴ２のオンオフをチェックする。
【００７１】
なお、上記フラグＲＥＳＥＴ２がオンの場合は、２画面表示処理のＣＯＭＰ２モード処理中のコマＮＯ．を変更したときに表示画面のスクロール開始位置ｙ１，ｘ１を予め設定されているリセット位置（Ｌ，Ｓ，Ｒ）にリセットする。オフの場合、表示コマＮＯ．を変更したときに上記リセットを行わない。該ＣＯＭＰ２のフラグＲＥＳＥＴ２は、図３６に示されるモニタ画面Ｇ７の７行目上で設定可能である。
【００７２】
そして、ステップＳ２０４，２０６のフラグＲＥＳＥＴ２のチェックにおいて、該フラグがオンの場合、ｙ，ｘ表示領域の水平方向始点座標の値ｙ１，ｘ１をリセットするため、ステップＳ２０５，２０７に進み、前記図１３，１４のサブルーチン「ｙ１リセット」「ｘ１リセット」をそれぞれ実行する。オフの場合、そのまま本ルーチンを終了する。上記値ｙ１，ｘ１のリセット値としては、前述したように、図３６のモニタ画面Ｇ７上の８，９行目において、左，中央，右（Ｌ，Ｓ，Ｒ）に設定可能である。
【００７３】
また、上記サブルーチン「ＤＯＷＮ  ＳＷ処理」は、図１９のフローチャートに示されるように、ステップＳ２１０でフラグＲ０をチェックし、値１のときはステップＳ２１１に、また、値０のときはステップＳ２１２にジャンプする。上記ステップＳ２１１では、右側表示画面に表示されるコマＮＯ．をデクリメントする。また、ステップＳ２１２では、左側表示画面に表示されるコマＮＯ．をデクリメントする。
【００７４】
上記デクリメント処理後、ステップＳ２１３，２１５でＣＯＭＰ２  ＲＥＳＥＴ２のオンオフをチェックする。オンの場合、それぞれステップＳ２１４，２１６に進み、前記図１３，１４のサブルーチン「ｙ１リセット」「ｘ１リセット」を実行する。また、オフの場合は、そのまま本ルーチンを終了する。
【００７５】
更に、前記図７のステップＳ８７，８８の処理の後、ステップＳ８９に進み、ＳＴＯＰ  ＳＷのオンオフをチェックし、オフの場合は前記ステップＳ８３に戻る。オンの場合はステップＳ９５に進み、２画面表示動作の停止等のストップモード処理を行って、接続部「Ｂ７」を介し、後続する処理を実行することになる。
【００７６】
以上説明したように、上記２画面表示処理においては、ＵＰ  ＳＷ１６ｓ、または、ＤＯＷＮ  ＳＷ１６ｕを操作して指定した２種類のコマＮＯ．の２つの画像データを２画面に分割表示する。そして、ＣＯＭＰ２  ＳＷ１６ｍで右表示画面、または、左表示画面のコマＮＯ．を指定後、ＲＩＧＨＴ  ＳＷ１６ｖ，ＬＥＦＴ  ＳＷ１６ｔのオンオフにより、１画面の中から分割表示する任意の部分を原寸状態で左右いずれかの画面を単独に、または、左右画面を共にスクロールすることができ、両画面の比較、特に境界線近傍や画面の端部の比較を容易に行うことが可能となる。
また、本装置のものは、画面分割が左右分割であったが、これに限らず上下分割のマルチ画面表示や２画面以上の分割表示にも本表示処理を応用することができる。
【００７７】
上記図７のフローチャートの接続部「Ｂ７」を介して、図８のフローチャートに示されるステップＳ１０１以下のＦＯＯＴ  ＳＷ６の操作に基づいた記録処理に進む。そして、ステップＳ１０１においてＦＯＯＴ  ＳＷ６のオンオフがチェックされ、オンであった場合、ステップＳ１０２において、後述するサブルーチン「記録」処理により１コマ記録が実行される。その後、上記ＳＷ６のオフの場合とともに接続部「Ｂ８」を介して、図９に示すステップＳ１１１以下の全消去処理（ＡＬＬ  ＥＲＡＳＥ）に進む。
【００７８】
上記ステップＳ１１１においては、ＡＬＬ  ＥＲＡＳＥ  ＳＷ１６ｅのオンオフをチェックする。オフの場合、接続部「Ｂ９」を介して、後述する図１０のマルチ画面表示処理に進むが、オンの場合、全消去を行うためにステップＳ１１２にジャンプし、１画面再生を行う。ステップＳ１１３にてメッセージ「ＡＬＬ  ＥＲＡＳＥ」を表示する。
【００７９】
ステップＳ１１４において、ＳＴＡＲＴ  ＳＷ１６ｈのオンオフをチェックする。オフの場合、更に、他モードのＳＷが操作されたかチェックし、操作されたときは、ステップＳ１１７で、ストップモード処理を行い、接続部「Ｂ９」を介して、図１０のフローチャートの処理に移る。また、ＳＴＡＲＴ  ＳＷ１６ｈがオンの場合、ステップＳ１１５に進み、現在の全消去モードがモード１であるかモード２であるかをチェックする。
【００８０】
なお、全消去モード１は、全ての記録データを消去するモードとし、全消去モード２は、データファイル中、拡張子が「Ｊ６Ｉ」であるもののみを消去するモードとする。このモードは図３６のモニタ画面Ｇ７上の４行目で指定可能である。
【００８１】
上記ステップＳ１１５のチェックでモード１であると判別された場合、ステップＳ１１９にジャンプし、モード２であると判別された場合、ステップＳ１１６に進む。ステップＳ１１６，１１９にて、拡張子が「Ｊ６Ｉ」であるデータファイル、または、全データファイルをそれぞれ消去する。ステップＳ１１７でストップモードの処理を行って、接続部「Ｂ９」を介して、図１０に示すマルチ画面表示処理に移る。
【００８２】
図１０に示すフローチャートにおいて、ステップＳ１２１で、ＭＵＬＴＩ１６ＳＷ１６ｐのオンオフをチェックし、オフの場合は接続部「Ｂ１０」を介して、前記図３のメインルーチンに戻る。オンの場合、１６画面のマルチ画面処理を実行するため、ステップＳ１２２以下に進む。
【００８３】
ステップＳ１２２において、サブルーチン「１６画面表示」処理がコールされる。この処理は、図３５の１６コマ表示画面Ｇ５を表示する処理であって、図２０にそのフローチャートに示す。まず、ステップＳ２２１にて、最初に、先頭表示コマを示す変数ｎ１６に指定済みコマＮＯ．を与える。更に、ステップＳ２２２にて１６画面の各表示位置を示す変数ｍ１６に１を与える。これらの変数ｎ１６，ｍ１６は、１６画面を次々に１画面毎表示してゆくとき、インクリメントされてゆき、対応するコマＮＯ．と１６画面の表示位置を与えることになる。
【００８４】
ステップＳ２２３にて、変数ｎ１６に対応するコマに画像データがあるかどうかをチェックし、画像データが存在しない場合は、ステップＳ２２４にて対応表示画面をブルーバック表示とする。画像データが存在する場合は、ステップＳ２２９にてｍ１６対応の分割位置にｎ１６で与えられるコマＮＯ．の画面を縮小して表示する。ステップＳ２２５で上記変数ｎ１６，ｍ１６をそれぞれインクリメントする。
【００８５】
続いて、ステップＳ２２６にてＭＵＬＴＩ１６  ＳＷ１６ｐのオンオフをチェックする。本１６画面表示動作を一時中止するために、該ＳＷ  １６ｐが操作され、オンとなるとステップＳ２３０にジャンプする。
一方、該ＳＷ１６ｐの操作がなされない場合、そのままステップＳ２２７に進み、更に、ＳＴＯＰ  ＳＷ１６ｉのオンをチェックする。そこで、該ＳＴＯＰ  ＳＷ１６ｉの操作がなされると、本１６画面表示動作を中断するが、該ＳＴＯＰＳＷ１６ｉの操作がなければ、ステップＳ２２８で変数ｍ１６の値が１６を越えるまでステップＳ２２３に戻る。また、変数ｍ１６の値が１６に到達し、１６画面の表示が終了したとき、本サブルーチンを終了する。そして、図１０のステップＳ１２３に戻る。
【００８６】
上記ステップＳ２３０にジャンプした場合、１６画面表示動作を一時中止する状態になる。そして、次のスイッチ操作待ちの状態になる。即ち、ステップＳ２３１、または、ステップＳ２３２でＳＴＡＲＴ  ＳＷ１６ｈ，ＳＴＯＰ  ＳＷ１６ｉが操作され、オンとなると１６画面表示動作を中断して、図１０のステップＳ１２３に戻る。また、もう一度、ＭＵＬＴＩ１６  ＳＷ１６ｐが操作され、オンとなると、ステップＳ２２７に戻り、１６画面表示を再開する。
【００８７】
上記図１０のステップＳ１２３に処理が戻った場合、スタートＬＥＤを点滅させる。また、図３５の１６画面表示の画面Ｇ５で最初の表示コマＮＯ．を点滅させる。ステップＳ１２４にて、ＳＴＡＲＴ  ＳＷ１６ｈのオンをチェックする。但し、このチェックは、前記図２０のステップＳ２３１にて、ＳＴＡＲＴ  ＳＷ１６ｈを操作したことによりフラグを立て、そのフラグをチェックすることも並行して行う。該チェック動作でオンの場合、ステップＳ１３０へ、オフの場合、ステップＳ１２５に進む。
【００８８】
ステップＳ１２５に進んだ場合、選択コマの移動のための方向指示用のＳＷ１６ｓ〜１６ｖのオンをチェックし、オンの場合、ステップＳ１２８で、移動させた対応コマＮＯ．を赤表示させる。続いて、ＭＵＬＴＩ１６  ＳＷ１６ｐのオンをチェックする。オンの場合、ステップＳ１２９に進み、次の１６画面、例えば、現１６画面が１コマ目から１６コマ目まで表示しているときは、１７コマ目から３２コマ目までの１６画面表示動作に移る。その後、ステップＳ１２７で他のモードＳＷがオンされたかをチェックし、オフの状態であれば、ステップＳ１２４に戻り、オンされた場合、本処理を中断する。なお、上記ＭＵＬＴＩ１６  ＳＷ１６ｐのオフのままであれば、上記ステップＳ１２７に進む。
【００８９】
一方、ステップＳ１３０にジャンプした場合、それ以降の処理で、表示れた１６画面によりコマＮＯ．を指定し、コピー，消去を行うことになる。即ち、ステップＳ１３０でＥＲＡＳＥ  ＬＥＤ，ＣＯＰＹ  ＬＥＤを点滅させる。ステップＳ１３１でサブルーチン「コマＮＯ．選択」がコールされる。
【００９０】
上記サブルーチン「コマＮＯ．選択」のフローチャートは、図２１に示され、まず、ステップＳ２３５にて選択コマの移動のための方向指示用のＳＷ１６ｓ〜１６ｖのオンをチェックし、オンの場合、ステップＳ２３９で、移動させた対応コマＮＯ．を１６画面上で赤表示させる。そして、ステップＳ２３６でＳＴＡＲＴ  ＳＷ１６ｈのオンをチェックする。オンの場合、ステップＳ２４０，２４１に進み、指定コマＮＯ．を赤表示固定し、ブリンクさせ、上記コマＮＯ．をＲＡＭに登録する。そして、ステップＳ２３７にてＣＯＰＹ  ＳＷ１６ａ、または、ＥＲＡＳＥ  ＳＷ１６ｄのオンをチェックする。オンの場合、本ルーチンを終了する。
【００９１】
上記ステップＳ１３１のコマＮＯ．選択が終了した後、図１０のステップＳ１３２，１３４でＣＯＰＹ  ＳＷ１６ａ、または、ＥＲＡＳＥ  ＳＷ１６ｄのオンをチェックする。ＣＯＰＹ  ＳＷ１６ａがオンの場合、ステップＳ１３３でサブルーチン「コピー」がコールされ、ＥＲＡＳＥ  ＳＷ１６ｄがオンの場合、ステップＳ１３５でサブルーチン「消去」がコールされる。
【００９２】
上記サブルーチン「コピー」処理は、図２２のフローチャートに示すように前記ＲＡＭ登録のコマＮＯ．のファイルデータのみコピーし、本処理を終了する。上記サブルーチン「消去」処理は、図２３のフローチャートに示すように前記ＲＡＭ登録のコマＮＯ．のファイルデータのみ消去し、本ルーチンを終了する。
【００９３】
上記ステップＳ１３３，１３５のサブルーチンの処理の後、図１０のステップＳ１３６にてＳＴＯＰ  モード処理を行い接続部「Ｂ１０」を介して、図３のメインルーチンのステップＳ２に戻る。
【００９４】
次に、前記図１２のサブルーチン「ＩＮＴ  ＲＥＣ動作」のステップＳ１５２、および、図６の接続部「Ｂ５」以下の複写処理中のステップＳ７４、更に、通常の記録動作中にてコールされるサブルーチン「記録」処理について、図２４のフローチャートにより説明する。
なお、上記サブルーチン「記録」処理では、記録されるディレクトリが自動的に選択される。即ち、記録モードとして第１と第２の記録モードがあり、第１の記録モードは、これまでに消去されたディレクトリをも含めて、記録されていないディレクトリを検索し、ディレクトリ番号の最も少ないディレクトリを指定するモードであり、ディレクトリを無駄なく利用できる記録モードである。また、第２の記録モードは、これまでに画像データが記録、または、消去されたディレクトリのディレクトリ番号の後のディレクトリを指定する記録モードであり、消去ディレクトリが無駄となるが、記録の経過順に従った記録を行うことが可能な処理である。
【００９５】
上記第１，第２の記録モードを選択するための手段として、フラグＲ１が適用される。例えば、記録媒体に該フラグＲ１の値が記憶されており、その値を読み出すことによって、上記記録モードの指定がなされる。なお、その記録モードの指定の変形例として、前記図２９のメニュー画面Ｇ１に続いて、記録モード選択のための表示画面をモニタ画面にして、その画面を観察しながら、スイッチ操作によりフラグＲ１の値を変え、記録モード指定を行うようにしてもよい。
【００９６】
さて、上記サブルーチン「記録」処理を具体的に説明すると、まず、図２４のステップＳ２１８において、記録媒体のどのディレクトリに記録するかを検索するサブルーチン「空きディレクトリ番号検索」がコールされる。
このサブルーチンでは、図２５に示すように、ステップＳ２４６で上記フラグＲ１をチェックし、その値が１であれば、ステップＳ２４７に進み、第１の記録モードにおいて、これから記録するディレクトリを検索するサブルーチン「空きディレクトリ検索１」がコールされる。また、フラグＲ１の値が０であれば、ステップＳ２４８に進み、第２の記録モードにおいて、これから記録するディレクトリを検索するサブルーチン「空きディレクトリ検索２」がコールされる。
【００９７】
上記サブルーチン「空きディレクトリ検索１」は、図２６のフローチャートに示すように、ステップＳ２５１において、指定ディレクトリＮＯ．である（ＲＮ）を値１に設定する。そして、ステップＳ２５２にて（ＲＮ）番目のディレクトリに記録されているかどうかをチェックする。そこで、記録がされていないと判別された場合、ステップＳ２５３に進み、空きディレクトリＮＯ．を（ＲＮ）として本ルーチンを終了する。
上記ステップＳ２５２のチェックで、（ＲＮ）番目のディレクトリに記録なされていた場合、ステップＳ２５４にジャンプする。
【００９８】
上記ステップＳ２５４では、（ＲＮ）の値をインクリメントして、ステップＳ２５５に進み、上記（ＲＮ）の値と記録媒体の記録可能な最大コマ数、即ち、最大ディレクトリエントリ数ＲＮｍａｘと一致するかをチェックする。一致しない場合は、ステップＳ２５２に戻る。一致した場合は、ステップＳ２５６，２５７に進み、空きディレクトリなしと判断し、「ＣＡＲＤ  ＦＵＬＬ」に表示を行い本ルーチンを終了する。
【００９９】
また、上記サブルーチン「空きディレクトリ検索２」は、図２７のフローチャートに示すように、ステップＳ２６１において、指定ディレクトリＮＯ．である（ＲＮ）を最大ディレクトリ番号ＲＮｍａｘに設定する。そして、ステップＳ２６２にて（ＲＮ）番目のディレクトリに記録されているかどうかをチェックする。記録されていると判別した場合、ステップＳ２６３，２６４に進み、空きディレクトリなしと判断し、「ＣＡＲＤ  ＦＵＬＬ」の表示を行い本ルーチンを終了する。また、上記ステップＳ２６２で（ＲＮ）番目のディレクトリに記録されていないと判別された場合、ステップＳ２６５に進む。
【０１００】
ステップＳ２６５では、（ＲＮ）の値をインクリメントして、ステップＳ２６６に進み、上記（ＲＮ）番目のディレクトリに記録されているかどうかをチェックする。記録がされていると判別された場合、上記（ＲＮ）番目のディレクトリまで記録がなされていると判断し、ステップＳ２６７にジャンプする。そして、空きディレクトリ番号として（ＲＮ）＋１を指定し、本ルーチンを終了する。
【０１０１】
また、上記ステップＳ２６６の判別で記録なしと判別された場合、ステップＳ２６８に進み、（ＲＮ）の値が１であるかチェックする。該値が１であった場合、全てのディレクトリをチェックしたが、全て記録されていなかったと判断し、ディレクトリ番号（ＲＮ）を１として本ルーチンを終了する。上記（ＲＮ）の値が１でなかった場合、ステップＳ２６５に戻る。
【０１０２】
前記図２４のサブルーチン「記録」処理の上記ステップＳ２１８に続いて、ステップＳ２１９が実行され、サブルーチン「ファイル名自動生成」がコールされる。
図２８は、上記サブルーチン「ファイル名自動生成」のフローチャートである。本ルーチンは、前記記録再生制御部１４に内蔵されるファイル名を割り当てるための手段により処理されるルーチンであって、ファイル名の一部を任意設定不可能とし、その部分を自動的に設定し、他部を任意設定可能とするファイル名生成処理を行う。
【０１０３】
図２８のステップＳ２８２において、ファイル名の左から１桁目を装置により設定される文字、例えば、Ａを指定する。
この文字の設定は、図３６に示すモニタ画面Ｇ７上で設定することも可能である。即ち、この場合、モニタ画面Ｇ７上で１行目を赤色表示とし、Ａの部分をＢ，Ｃ等に変化せしめて上記１桁目を設定する。
【０１０４】
ステップＳ２８３において、左から２桁目〜５桁目に前記ＥＥＰＲＯＭ１４ｅに記憶されているファイル通し番号（ＲＭ）の値、例えば、００６３を設定する。ステップＳ２８４にて上記ファイル通し番号（ＲＭ）の値をインクリメントする。
上記ステップＳ２８４に続いて、ステップＳ２８５において、左から６桁目〜８桁目に自動的に指定されている記録ディレクトリの番号、例えば、０３６を設定する。続いて、ステップＳ２８６において、上記ステップＳ２８２〜Ｓ２８５で指定した文字を合成してファイル名に設定する。例えば、上記の場合のファイル名は、Ａ００６３０３６．Ｊ６Ｉとなる。なお、上記Ｊ６Ｉは、ファイル名の拡張子である従属名であって、本実施例の装置においては、画像データファイルには上記従属名Ｊ６Ｉが付くものとする。
【０１０５】
上記のようにサブルーチン「ファイル名自動生成１」においては、ファイル名の一部に自己が対応するディレクトリであるディレクトリ番号が含まれるので、画像データのコピー時などにおいて、装置が自動的にディレクトリ番号をファイル名の１部に付加する。従って、操作者はリネームの必要がなく、また、同じ名前のファイルが消されてしまうなどの不具合もなくなる。
【０１０６】
また、上記サブルーチン「ファイル名自動生成１」によると、同一種類の装置が複数台あったとしても、各装置が上記１桁目の文字で区別されるので装置間での混同が生じない。また、ファイル名の一部に自己が対応し、ＥＥＰＲＯＭ１４ｅにて記憶され、管理されるファイル通し番号が含まれるので、媒体を交換しても番号の重複は４桁の範囲で発生しない。従って、画像データのコピー時などにおけるファイル名のリネームの必要がなく、また、同じ名前のファイルか重複することもなく、また、同一ファイル名の画像データが消されてしまうなどの不具合もなくなる。
【０１０７】
なお、上記ファイル通し番号（ＲＭ）に対しては、別に、年月日時分秒の値を加工したデータを用いても良い。また、上記ファイル通し番号は、前記図３６のモニタ画面Ｇ７の表示状態において、２行目を赤色表示状態として値０にリセットすることも可能である。
【０１０８】
また、上記図２８のフローチャートのステップＳ２８３で使用されるＥＥＰＲＯＭ１４ｅのデータは、パワーオン時、または、媒体装着時に媒体のファイル名を調べて、既に、媒体内に記録済みの番号と重複しないことを確認するようにしてもよい。この場合、重複していることが確認されたとき、重複しない値まで、この部分のインクリメントを続けることになる。このように処理することで、もし、他の装置にてファイル名が変更されたときでも重複が回避できる。
【０１０９】
更に、ＥＥＰＲＯＭ１４ｅのデータ、および、ディレクトリ番号は、必ずしも０〜９の数字に限定されるものではなく、例えば、Ａ〜Ｚなどの文字やその他の記号であってもよく、文字と記号、または、数字の２種類以上の組み合わせでもよい。
【０１１０】
次に、記録媒体の残容量表示について説明する。
上記残容量は、ＤＩＳＰ  ＳＷ１６ｗを操作することによりモニタに表示される。図３７は、記録済み、および、残容量を画面枚数（ＰＩＣ）とキロバイト数（ＫＢ）で示したモニタ画面Ｇ８である。図中、「ＵＳＥＤ」は、記録済み分を示し、「ＲＥＳＴ」は、残り容量を示している。そして、「ＲＥＳＴ」のＰＩＣ数は、（残容量／モード毎１枚当たり容量）とディレクトリエントリ数の残りとの何れか少ない方の値を当てる。また、容量は、全てクラスタ単位とし、クラスタの一部でも使用したものは、使用できないものとして扱う。なお、圧縮モードが可変長であるときは、「ＲＥＳＴ」のＰＩＣ数は無表示となる。
【０１１１】
次に、圧縮モードの設定について説明する。
圧縮モードの設定を行う場合、図３６のモニタ画面Ｇ７を表示し、３行目の「ＣＯＭＰＲＥＳＳ  ＭＯＤＥ」を図３８に示す４つのモードから選択して指定する。即ち、固定モード１の通常サイズ（ＮＯＲＭＡＬ  ＳＩＺＥ），固定モード２のエコノミサイズ（ＥＣＯＮＯＭＹ  ＳＩＺＥ），非圧縮モード（  ＮＯ  ＣＯＭＰＲＥＳＳ．），可変モード（ＣＯＮＳＴＡＮＴ  ＱＵＡＬＩＴＹ）の４モードを指定する。上記４モードが指定された場合、それぞれのモードに合わせて、ＬＥＤ１７ａ、１７ｂ，１７ｃ，１７ｄが点灯する。
【０１１２】
次に、本装置の電源部について説明する。
上記電源部は、適用する電池２５として、通常、定格電圧１．５Ｖのマンガン電池の６個が電池収納部にて直列接続され、レギュレータ入力側のＤＣ９Ｖの電源部を構成するものである。そして、その代替え用の電池として、例えば、定格電圧１．８Ｖのリチウム電池の５個を使用することも可能であって、この場合、図３９に示す電池様導体２７の１個をダミー電池として装着可能な電源部とする。この場合も１．８Ｖの電池が直列に５個接続されることからレギュレータ入力側はＤＣ９Ｖの電源部となる。
【０１１３】
上記電池様導体２７は、当該電池の正極端子に相応する第１の導体部２７ａと該第１の導体部と実質的に導通状態になされた当該電池の負極端子に相応する第２の導体部とを有している。従って、他の仕様の電池を適用する場合、例えば、リチウム電池を適用する場合、リチウム電池の５個と電池様導体２７の１個とを直列に接続するによって、その供給電圧がマンガン電池の６個を直列接続した状態での供給電圧と略等しくなり、電圧の過不足による動作不良や、回路等の破損が防止される。
【０１１４】
【発明の効果】
上述のように本発明の画像記録再生装置によれば、複数の記録媒体にわたって撮影される画像ファイルの管理を容易に行うことができる。
【図面の簡単な説明】
【図１】本発明の一実施例の情報取り扱い装置である画像記録再生装置において、リモコン送信器，メモリカード，ＦＤ，モデム等を接続した状態でのブロック構成図。
【図２】上記図１の画像記録再生装置の前面パネル部の配置図。
【図３】上記図１の画像記録再生装置のメインルーチンのフローチャート。
【図４】上記図３のメインルーチンにおけるフローチャートにおける接続部「Ｂ４」〜「Ｂ５」のフローチャート。
【図５】上記図３のメインルーチンにおけるフローチャートにおける接続部「Ｂ１」以下のフローチャート。
【図６】上記図３のメインルーチンにおけるフローチャートにおける接続部「Ｂ５」〜「Ｂ６」のフローチャート。
【図７】上記図３のメインルーチンにおけるフローチャートにおける接続部「Ｂ６」〜「Ｂ７」のフローチャート。
【図８】上記図３のメインルーチンにおけるフローチャートにおける接続部「Ｂ７」〜「Ｂ８」のフローチャート。
【図９】上記図３のメインルーチンにおけるフローチャートにおける接続部「Ｂ８」〜「Ｂ９」のフローチャート。
【図１０】上記図３のメインルーチンにおけるフローチャートにおける接続部「Ｂ９」〜「Ｂ１０」のフローチャート。
【図１１】上記図３のメインルーチンでコールされるサブルーチン「初期設定」のフローチャート。
【図１２】上記図５のルーチンでコールされるサブルーチン「ＩＮＴ  ＲＥＣ動作」のフローチャート。
【図１３】上記図７のルーチンでコールされるサブルーチン「ｘ１リセット」のフローチャート。
【図１４】上記図７のルーチンでコールされるサブルーチン「ｙ１リセット」のフローチャート。
【図１５】上記図７のルーチンでコールされるサブルーチン「ＣＯＭＰ２  ＳＷ処理」のフローチャート。
【図１６】上記図７のルーチンでコールされるサブルーチン「ＲＩＧＨＴ  ＳＷ処理」のフローチャート。
【図１７】上記図７のルーチンでコールされるサブルーチン「ＬＥＦＴ  ＳＷ処理」のフローチャート。
【図１８】上記図７のルーチンでコールされるサブルーチン「ＵＰ  ＳＷ処理」のフローチャート。
【図１９】上記図７のルーチンでコールされるサブルーチン「ＤＯＷＮ  ＳＷ処理」のフローチャート。
【図２０】上記図１０のルーチンでコールされるサブルーチン「１６画面表示」処理のフローチャート。
【図２１】上記図１０のルーチンでコールされるサブルーチン「コマＮＯ．選択」処理のフローチャート。
【図２２】上記図１０のルーチンでコールされるサブルーチン「コピー」処理のフローチャート。
【図２３】上記図１０のルーチンでコールされるサブルーチン「消去」処理のフローチャート。
【図２４】上記図１２のサブルーチン「ＩＮＴ  ＲＥＣ動作」、および、上記図６，８のルーチンでコールされるサブルーチン「記録」のフローチャート。
【図２５】上記図２４のサブルーチン「記録」でコールされるサブルーチン「空きディレクトリ番号検索」のフローチャート。
【図２６】上記図２５のサブルーチン「空きディレクトリ番号検索」でコールされるサブルーチン「空きディレクトリ検索１」のフローチャート。
【図２７】上記図２５のサブルーチン「空きディレクトリ番号検索」でコールされるサブルーチン「空きディレクトリ検索２」のフローチャート。
【図２８】上記図２４のサブルーチン「記録」でコールされるサブルーチン「ファイル名自動生成」のフローチャート。
【図２９】上記図１の画像記録再生装置のインターバル記録処理に対するメニュー画面の１例を示す図。
【図３０】上記図１の画像記録再生装置のフットスイッチを用いたインターバル記録処理の各モードにおける記録タイミングのタイムチャート。
【図３１】上記図１の画像記録再生装置の２画面表示処理での再生画面を示す図。
【図３２】上記図１の画面記録再生装置のＶＲＡＭ内の２画面表示処理時のメモリ対応図。
【図３３】上記図１の画面記録再生装置の２画面表示例を示す図。
【図３４】上記図１の画面記録再生装置の２画面表示に対するリセット時での各コマの画面の切り取り状態を示す図。
【図３５】上記図１の画面記録再生装置の１６画面表示例を示す図。
【図３６】上記図１の画面記録再生装置の各モード設定のためのモニタ画面を示す図。
【図３７】上記図１の画面記録再生装置の記録媒体のメモリ使用状態を示すモニタ画面を示す図。
【図３８】上記図１の画面記録再生装置の設定可能な圧縮モードの種類を示す図。
【図３９】上記図１の画面記録再生装置に適用される別電源の装着時に適用される電池様導体の側面図。
【符号の説明】
３      メモリカード
５      ＦＤ
１４ａ  ＣＰＵ
１４ｅ  ＥＥＰＲＯＭ
１９    メモリカードＩ／Ｆ
１９ａ  スロット
２１    ＦＤＤ
【図１】
0003590101.tif 000004
【図２】
0003590101.tif 000005
【図３】
0003590101.tif 000006
【図４】
0003590101.tif 000007
【図５】
0003590101.tif 000008
【図６】
0003590101.tif 000009
【図７】
0003590101.tif 000010
【図８】
0003590101.tif 000011
【図９】
0003590101.tif 000012
【図１０】
0003590101.tif 000013
【図１１】
0003590101.tif 000014
【図１２】
0003590101.tif 000015
【図１３】
0003590101.tif 000016
【図１４】
0003590101.tif 000017
【図１５】
0003590101.tif 000018
【図１６】
0003590101.tif 000019
【図１７】
0003590101.tif 000020
【図１８】
0003590101.tif 000021
【図１９】
0003590101.tif 000022
【図２０】
0003590101.tif 000023
【図２１】
0003590101.tif 000024
【図２２】
0003590101.tif 000025
【図２３】
0003590101.tif 000026
【図２４】
0003590101.tif 000027
【図２５】
0003590101.tif 000028
【図２６】
0003590101.tif 000029
【図２７】
0003590101.tif 000030
【図２８】
0003590101.tif 000031
【図２９】
0003590101.tif 000032
【図３０】
0003590101.tif 000033
【図３１】
0003590101.tif 000034
【図３２】
0003590101.tif 000035
【図３３】
0003590101.tif 000036
【図３４】
0003590101.tif 000037
【図３５】
0003590101.tif 000038
【図３６】
0003590101.tif 000039
【図３７】
0003590101.tif 000040
【図３８】
0003590101.tif 000041
【図３９】
0003590101.tif 000042